(57)【特許請求の範囲】
【請求項１】
（ａ）水溶性染料０．３〜３重量％と、（ｂ）アクリル酸アルキル共重合体エマルジョン樹脂が固形分濃度で５〜２０重量％と、（ｃ）エチレングリコール、ジエチレングリコール、トリエチレングリコール、プロピレングリコール、１，３−ブチレングリコール、ジプロピレングリコールから選ばれるグリコール類、グリセリン、ジグリセリン、トリグリセリンから選ばれるグリセリン類、及び、ポリエチレングリコール、ポリプロピレングリコールから選ばれるポリグリコール類の中から選ばれる少なくとも１種１５〜４０重量％と、水とを含有することを特徴とするアイブロウ化粧料。
【請求項２】
塗布手段として、請求項１に記載のアイブロウ化粧料を中綿式ペン型容器に内蔵してなることを特徴とするアイブロウ化粧料塗布具。
【発明の詳細な説明】
【０００１】
【発明の属する技術分野】
本発明は、優れた描線性能及び塗布性能を有するアイブロウ化粧料及びその塗布具に関し、更に詳しくは、滲みが少なく、耐水性及び化粧持ちに優れたアイブロウ化粧料及びその塗布具に関する。
【０００２】
【従来の技術】
従来より、アイブロウ化粧料として、高粘度の液体化粧料を容器に内蔵し、該化粧料を刷毛に含ませた後、筆ならしを行って描くボトルタイプのもの、低粘度の液体化粧料を容器に内蔵し、誘導芯の毛細管力で該化粧料を、スポンジなどからなる先端ペン芯部に導出させるペンタイプのもの、あるいは、粉末化粧料を刷毛やスポンジなどで塗布するタイプのもの、または、固形状の化粧料を芯とした鉛筆タイプのものがある。
【０００３】
しかしながら、高粘度の液体化粧料を使用するタイプのものは、描線がかすれ易く、使用中に何回も液を刷毛につけ直す必要があり、また、簡便性の点で必ずしも満足できない点に課題があるものである。
一方、ペンタイプにおいては、使用性の不便さはないものの、低粘度の化粧料を用いるために、皮膚の皺に化粧料が滲み、また、低粘度を実現させるために、化粧料に耐水性を付与することが難しいなどの課題を有するものである。
また、粉末タイプのものでは、前記高粘度のタイプと同様に描線がかすれ易く、簡便性の点に課題があるものである。更に、鉛筆タイプのものは、使用方法を誤ると目を傷つける心配があるものである。
【０００４】
【発明が解決しようとする課題】
本発明は、上記従来技術の課題等について、これを解消しようとするものであり、滲みが少なく、耐水性及び化粧持ちに優れ、使用性等にも優れるアイブロウ化粧料及びその塗布具を提供することを目的とする。
【０００５】
【課題を解決するための手段】
本発明者は、上記従来技術の課題等について鋭意研究を重ねた結果、水溶性染料と、エマルジョン樹脂と、グリコール類、グリセリン類及びポリグリコール類から選ばれる少なくとも１種と、水とを夫々特定の範囲に調製することにより、上記目的のアイブロウ化粧料及びその塗布具が得られることを見出し、本発明を完成するに至ったのである。
すなわち、本発明のアイブロウ化粧料は、（ａ）水溶性染料０．３〜５重量％と、（ｂ）固着エマルジョン樹脂が固形分濃度で２〜２０重量％と、（ｃ）グリコール類、グリセリン類及びポリグリコール類から選ばれる少なくとも１種１５〜４０重量％と、水とを含有することを特徴とする。
また、本発明のアイブロウ化粧料塗布具は、塗布手段として、請求項１に記載のアイブロウ化粧料を中綿式ペン型容器に内蔵してなることを特徴とする。
【０００６】
【発明の実施の形態】
以下に、本発明の実施の形態を詳しく説明する。
本発明のアイブロウ化粧料は、（ａ）水溶性染料０．３〜５重量％と、（ｂ）固着エマルジョン樹脂が固形分濃度で２〜２０重量％と、（ｃ）グリコール類、グリセリン類及びポリグリコール類から選ばれる少なくとも１種１５〜４０重量％と、水とを含有することを特徴とするものである。
【０００７】
本発明に用いる水溶性染料としては、例えば、直接染料、酸性染料、食用染料、塩基性染料などが挙げられる。
直接染料としては、例えば、Ｃ．Ｉ．ダイレクトブラック１７、同１９、同２２、同３２、同３８、同５１、同７１、Ｃ．Ｉ．ダイレクトエロー４、同２６、同４４、同５０、Ｃ．Ｉ．ダイレクトレッド１、同４、同２３、同３１、同３７、同３９、同７５、同８０、同８１、同８３、同２２５、同２２６、同２２７、Ｃ．Ｉ．ダイレクトブルー１、同１５、同７１、同８６、同１０６、同１１９などが挙げられる。
【０００８】
酸性染料としては、例えば、Ｃ．Ｉ．アシッドブラック１、同２、同２４、同２６、同３１、同５２、同１０７、同１０９、同１１０、同１１９、同１５４、Ｃ．Ｉ．アシッドエロー７、同１７、同１９、同２３、同２５、同２９、同３８、同４２、同４９、同６１、同７２、同７８、同１１０、同１４１、同１２７、同１３５、同１４２、Ｃ．Ｉ．アシッドレッド８、同９、同１４、同１８、同２６、同２７、同３５、同３７、同５１、同５２、同５７、同８２、同８７、同９２、同９４、同１１５、同１２９、同１３１、同１３８、同１８６、同２４９、同２５４、同２６５、同２７６、Ｃ．Ｉ．アシッドバイオレット１５、同１７、Ｃ．Ｉ．アシッドブルー１、同７、同９、同１５、同２２、同２３、同２５、同４０、同４１、同４３、同６２、同７８、同８３、同９０、同９３、同１０３、同１１２、同１１３、同１５８、Ｃ．Ｉ．アシッドグリーン３、同９、同１６、同２５、同２７などが挙げられる。
【０００９】
食用染料としては、赤色２２７号、黄色４号、黄色５号、青色１号など、その大部分が直接染料又は酸性染料に含まれるが、含まれないものの一例としては、Ｃ．Ｉ．フードエロー３が挙げられる。
塩基性染料としては、例えば、Ｃ．Ｉ．ベーシックエロー１、同２、同２１、Ｃ．Ｉ．ベーシックオレンジ２、同１４、同３２、Ｃ．Ｉ．ベーシックレッド１、同２、同９、同１４、Ｃ．Ｉ．ベーシックバイオレット１、同３、同７、Ｃ．Ｉ．ベーシックグリーン４、Ｃ．Ｉ．ベーシックブラウン１２、Ｃ．Ｉ．ベーシックブラック２、同８などが挙げられる。
【００１０】
これらの水溶性染料は、それぞれ単独で用いても良いし、また、２種類以上を組み合わせて用いることができる。
これらの水溶性染料の含有量は、化粧料全量に対して０．３〜５重量％、好ましくは、０．７〜３重量％であることが望ましい。
水溶性染料の含有量が０．３重量％未満であると、優れた染色性が得られにくく、また、５重量％を越えても、その効果は変わらないが、経済上、好ましくない。
【００１１】
本発明に用いる固着エマルジョン樹脂は、化粧効果の持続性を向上させるために用いるものであり、被膜形成性を有し、優れた化粧持ち性能を発揮できるものであれば、特に限定されるものでないが、例えば、アクリル酸アルキル共重合体エマルジョン、アクリル酸アルキル・スチレン共重合体エマルジョン、アクリル酸アルキル・酢酸ビニル共重合体エマルジョンなどが挙げられる。好ましくは、特に優れた被膜形成性を有するアクリル酸アルキル共重合体エマルジョンが望ましい。
具体的には、アクリル酸アルキル共重合体エマルジョンからなるヨドゾール  ＧＨ８００（固形分濃度４５％、日本ＮＳＣ社製）、ジュリマー  ＡＴ５１０（固形分濃度３０％、日本純薬社製）、アクリル酸アルキル・スチレン共重合体エマルジョンからなるヨドゾール  ＧＨ４１（固形分濃度４５％、日本ＮＳＣ社製）などが挙げられる。
【００１２】
これらの固着エマルジョン樹脂は、それぞれ単独で用いても良いし、また、２種類以上を組み合わせて用いることができる。
これらの固着エマルジョン樹脂の含有量は、化粧料全量に対して固形分濃度として２〜２０重量％、好ましくは、５〜１０重量％であることが望ましい。
固着エマルジョン樹脂の固形分濃度が２重量％未満であると、被膜形成性能が乏しく、また、２０重量％を越えると、のびが悪く、つっぱり感が残る等、使用性が悪くなり、好ましくない。
【００１３】
本発明に用いるグリコール類、グリセリン類及びポリグリコール類から選ばれる少なくとも１種は、保湿成分として用いるものであり、例えば、グリコール類としては、グリコール、エチレングリコール、ジエチレングリコール、トリエチレングリコール、プロピレングリコール、１，３−ブチレングリコール、ジプロピレングリコールなどが挙げられ、また、グリセリン類としては、例えば、グリセリン、ジグリセリン、トリグリセリンなどが挙げられ、更に、ポリグリコール類としては、ポリエチレングリコール、ポリプロピレングリコールなどが挙げられる。
【００１４】
これらのグリコール類、グリセリン類、ポリグリコール類脂は、それぞれ単独で用いても良いし、また、２種類以上を組み合わせて用いることができる。
これらのグリコール類、グリセリン類及びポリグリコール類の含有量は、化粧料全量に対して、１５〜４０重量％、好ましくは、２０〜３０重量％であることが望ましい。
これらの含有量が１５重量％未満であると、つっぱった感じとなり、使用上好ましくないものとなり、また、４０重量％を越えると、滲みが起きやすくなり、使用上好ましくない。
【００１５】
本発明のアイブロウ化粧料は、水（精製水、イオン交換水、純水等）を溶媒とする。この水の含有量は、上記水溶性染料、固着エマルジョン樹脂、並びに、グリコール類、グリセリン類及びポリグリコール類から選ばれる少なくとも１種、後述する任意成分を含有した残部となる。
【００１６】
更に、本発明のアイブロウ化粧料には、前記必須成分の他に、通常のアイブロウ化粧料に用いられる任意成分などを配合できる。具体的には、例えば、防腐剤、酸化防止剤、紫外線吸収剤、美容成分、香料、水溶性高分子、体質顔料、着色顔料、有機粉体、疎水化処理顔料、ｐＨ調整剤などを、本発明の効果を損なわない範囲で含有することができる。
【００１７】
このように構成される本発明のアイブロウ化粧料では、従来にない優れた描線及び塗布性能を有するアイブロウ化粧料、特に、滲みが少なく、耐水性及び化粧持ちに優れたアイブロウ化粧料が提供されることとなる。
本発明のアイブロウ化粧料が従来にない優れた特性を有する理由は、固着エマルジョン樹脂による化粧持続性等と、水溶性染料とグリコール類、グリセリン類及びポリグリコール類から選ばれる少なくとも１種とによる優れた使用性とが共に効果的に発揮されることによるものであり、（ａ）水溶性染料０．３〜５重量％と、（ｂ）固着エマルジョン樹脂が固形分濃度で２〜２０重量％と、（ｃ）グリコール類、グリセリン類及びポリグリコール類から選ばれる少なくとも１種１５〜４０重量％と、水とを含有する範囲内で用いれば、後記実施例に示されるように、期待される塗布感、滲みがなく、耐水性、耐皮脂性、化粧持続性が得られることが確認されており、かかる特性は、上記（ａ）〜（ｃ）成分の相互間の配合バランスにより達成されるものである。
【００１８】
また、本発明のアイブロウ化粧料塗布具は、本発明のアイブロウ化粧料を塗布できる塗布具であれば、特に限定されないが、好ましくは塗布手段として中綿式ペン型容器に収容するタイプのアイブロウ化粧料塗布具が使用性、簡便性に優れ、最適なものであり、かかる塗布具に内蔵した形態で使用されることが特に好ましい。
アイブロウ化粧料塗布具として好適な中綿式ペン型タイプとしては、例えば、図１に示すように、化粧具本体１０内に内軸１１を有し、該内軸１１内には本発明のアイブロウ化粧料を含浸した中綿等からなる含浸体１２が収容されている。この含浸体１２の先端側には、アイブロウ化粧料を塗布するためのペン芯１３が設けられており、内軸１１の後端に尾栓１４が固着されている。また、１５は、内キャップ部１６を有するキャップ体である。
この形態のアイブロウ化粧料塗布具Ａでは、キャップ１５を取り外すことにより使用に供されることとなる。
このように構成される本発明のアイブロウ化粧料塗布具では、塗布感に優れ、滲みがなく、耐水性、耐皮脂性及び化粧持続性に優れるアイブロウ化粧料を内蔵すると共に、使用性及び簡便性に優れたものとなる。
【００１９】
【実施例】
次に、実施例及び比較例により、本発明を更に詳細に説明するが、本発明は下記実施例に何ら制約されるものではない。
【００２０】
〔実施例１〜５及び比較例１〜４〕
下記表１に示す処方のアイブロウ化粧料を調製し、塗布感、滲み性、耐水性、耐皮脂性及び化粧持続性について、夫々下記の方法により評価を行った。これらの結果も併せて下記表１に示す。
【００２１】
〔塗布感の評価法〕
各試料について、実際にパネラー（成人女性）により使用テストを行い、下記評価基準で官能評価した。
◎：塗布感が非常に良い。
〇：塗布感がやや良い。
△：塗布感がやや悪い。
×：塗布感が悪い。
【００２２】
〔滲み性の評価法〕
各試料について、実際にパネラー（成人女性）により使用テストを行い、下記評価基準で官能評価した。
◎：滲みが全くない。
〇：滲みがほとんどない。
△：滲みがややある。
×：滲みがある。
【００２３】
〔耐水性の評価法〕
ガラスプレートに試料を適量取り、アプリケーターで一定膜厚の塗膜を形成せしめ、乾燥後水中において指で擦取して、その状態を下記評価基準で官能評価した。
◎：耐水性が非常に良い。
〇：耐水性がやや良い。
△：耐水性がやや悪い
×：耐水性が悪い。
【００２４】
〔耐皮脂性の評価法〕
ガラスプレートに試料を適量取り、アプリケーターで一定膜厚の塗膜を形成せしめ、乾燥後更に人工皮脂をアプリケーターで塗布し、一定時間後（１時間後）に指で擦取して、その状態を下記評価基準で官能評価した。
◎：耐皮脂性が非常に良い。
〇：耐皮脂性がやや良い。
△：耐皮脂性がやや悪い
×：耐皮脂性が悪い。
【００２５】
〔化粧持続性の評価法〕
各試料について、実際にパネラー（成人女性）により使用テストを行い、アイブロウ後、６時間経過後の状態を下記評価基準で官能評価した。
◎：化粧持続性が非常に良い。
〇：化粧持続性がやや良い。
△：化粧持続性がやや悪い
×：化粧持続性が悪い。
【００２６】
【表１】
0004518683.tif 000002
【００２７】
上記表１の結果から明らかなように、本発明の範囲となる実施例１〜５は、本発明の範囲外となる比較例１〜４に較べ、塗布感に優れ、滲みがなく、耐水性、耐皮脂性及び化粧持続性に優れていることが判明した。
比較例を更に具体的にみると、比較例１は、固着エマルジョン樹脂の固形分濃度が１．８重量％と低い場合であり、比較例２は、固着エマルジョン樹脂の固形分濃度が２０．２５重量％超過の場合であり、比較例３は、グリコール類（１，３−ブチレングリコール）が１４重量％と少ない場合であり、比較例４では、グリコール類（１，３−ブチレングリコール）が４５重量％と多い場合であり、これらの場合は、塗布感、滲み性、耐水性、耐皮脂性及び化粧持続性の全てを満足することができないことが判明した。
【００２８】
【発明の効果】
本発明によれば、塗布感に優れ、滲みがなく、耐水性、耐皮脂性及び化粧持続性に優れているため、優れた描線性能及び塗布性能を有するアイブロウ化粧料、及びこのアイブロウ化粧料を用いた使用性、簡便性に優れたアイブロウ化粧料塗布具が提供される。
【図面の簡単な説明】
【図１】本発明のアイブロウ化粧料塗布具の実施形態の一例を示す部分断面図である。
【符号の説明】
Ａ  アイブロウ化粧料塗布具
１０  化粧具本体
【図１】
0004518683.tif 000003